(57)【要約】実質上落ち葉、不必要な植物生存および／またはゴルフボールのごとき破片なしに願掛け井戸、噴水、池小川または他の水体の底面を維持するのに使用される装置であり、水体の底の少なくとも部分の上に横たわる大きさの柔軟な網、および水から網を持ち上げるのに使用される持ち上げ機構を含んでいる。網の周部縁部分はアンカによって水体の縁部バンクに隣接して固定され、持ち上げ機構は沈められた位置と水面の上方の上昇された位置との間で固定された縁部分から離れた網の部分に係合しかつ持ち上げるように位置決めされる。【選択図】図６
2004526478.tif 000002
【特許請求の範囲】
【請求項１】
実質上破片なしの状態にゴルフコースの池または小川の底面を維持するためのゴルフボール回収装置であって、
前記底面の少なくとも一部に横たわる大きさの柔軟な網であって、それを通るゴルフボールの通過を実質上阻止しながら、それを通る水の実質上無制限の流れを許容する大きさの開口部を有することを特徴とする柔軟な網、
前記池または小川の縁部に隣接する前記網の縁部分を固定するための保持手段、
及び、かかる池または小川の中央区域に向かって前記底面に取り付けられる伸縮自在の持ち上げ機構を有し、
前記持ち上げ機構が、前記縁部分から間隔が置かれた前記網の離れた部分を動かすために折り畳まれた形状と伸長された形状との間で選択的に作動可能になっており、前記持ち上げ機構が折り畳まれるとき、前記網が前記底面と実質上並置するように水に沈められる位置となり、前記持ち上げ機構が伸長されるとき、上昇された位置となり、そしてその際持ち上げられた離れた部分から網縁部分に向かって網上に蓄積するゴルフボールが取り除かれるのを許容する高さに、前記池または小川から垂直に前記網の離れた部分が持ち上げられるゴルフボール回収装置。
【請求項２】
前記装置が、さらに、前記持ち上げ機構に前記網を結合するために前記網の前記離れた部分に固定される結合部材を有し、前記持ち上げ機構が油圧式または空気式で作動し得る請求項１に記載のゴルフボール回収装置。
【請求項３】
前記伸縮自在の持ち上げ機構が油圧式で作動し得る請求項１に記載のゴルフボール回収装置。
【請求項４】
前記伸縮自在の持ち上げ機構が空気式で作動し得る請求項１に記載のゴルフボール回収装置。
【請求項５】
前記網が前記底面の実質上すべての上に横たわり、前記保持手段が前記池または小川の実質上縁部全体に沿って前記網縁部分を固定する請求項１から請求項４のいずれかに記載のゴルフボール回収装置。
【請求項６】
前記網が、耐食性金属、ステンレス鋼、ゴム、ナイロンおよびプラスチックからなる群から選ばれた耐食性材料から形成される請求項１から請求項５のいずれかに記載のゴルフボール回収装置。
【請求項７】
前記離れた部分が上昇された位置に持ち上げられるとき、実質上前記網のすべてが前記池または小川の上方にある請求項１から請求項６のいずれかに記載のゴルフボール回収装置。
【請求項８】
前記保持手段がアンカ、スパイクおよび敷石からなる群から選択される請求項１から請求項７のいずれかに記載のゴルフボール回収装置。
【請求項９】
実質上ゴルフボールなしにウォーターハザードの底面を維持するためのゴルフコースウォーターハザードライナにおいて、
前記底面の少なくとも一部に横たわる大きさの柔軟な網であって、それを通るゴルフボールの通過を実質上阻止しながら、それを通る水の実質上無制限の流れを許容する大きさの開口部を有することを特徴とし、前記ウォーターハザードの縁部に隣接して永続的に固定される周部縁部分を有する柔軟な網、
及び、前記池または小川の中央区域に向かって間隔が置かれた少なくとも１つの伸縮自在の持ち上げ機構を有し、
この持ち上げ機構が、前記持ち上げ機構が折り畳まれるとき前記網が前記底面と実質上並置している沈められた位置と、前記離れた部分が水から網の実質上すべてを持ち上げるのに十分に前記縁部分に対して垂直に持ち上げられる上昇された位置との間で、前記縁部分から間隔が置かれる前記網の離れた部分を動かすために作動可能であり、そしてその際前記伸縮自在機構が、前記網が前記沈められた位置に動かされるときに折り畳まれた方向に、前記網が前記上昇された位置に動かされるときに伸張される方向に可動であるゴルフコースウォーターハザードライナ。
【請求項１０】
前記周部縁部分がアンカ、スパイクおよび敷石からなっているグループから選択される保持手段によって固定される請求項９に記載の装置。
【請求項１１】
前記網が前記底面の実質上すべての上に横たわり、前記網の前記縁部分が実質上前記ウォーターハザードの縁部全体に沿って固定される請求項１０または請求項１１に記載の装置。
【請求項１２】
前記網が耐食性金属、ステンレス鋼、ゴム、ナイロンおよびプラスチックからなっている群から選ばれた耐食性材料から形成されることを特徴とする請求項９から請求項１１のいずれかに記載の装置。
【請求項１３】
前記持ち上げ機構が噴水構体の一部を含み、そして前記持ち上げ機構が折り畳まれる方向にあるとき、前記噴水構体が前記池または小川に噴水流を供給する請求項１から請求項８のいずれかに記載の装置。
【請求項１４】
前記持ち上げ機構が噴水構体の一部を含み、そして前記持ち上げ機構が折り畳まれる方向にあるとき、前記噴水構体が前記池または小川に噴水流を供給する請求項９から請求項１２のいずれかに記載の装置。
【請求項１５】
ライナの使用によってゴルフボール、雑草または落ち葉のないようにゴルフコースウォーターハザードの底面を維持するための方法において、
ライナは、
前記底面の少なくとも一部に横たわる大きさの柔軟な網であって、それを通るゴルフボールの通過を実質上阻止しながら、それを通る水の実質上無制限の流れを許容する大きさの開口部を有することを特徴とする柔軟な網、
前記ウォーターハザードの縁部に隣接して固定されている前記網の縁部分、
及び、前記底面に配置されかつ折り畳まれた方向と押し出された方向との間で可動である伸縮自在の持ち上げ機構を有し
この持ち上げ機構の運動が、前記網が前記底面と実質上並置している沈められた位置と、持ち上げられる離れた部分から網縁部分に向かって網上に蓄積するゴルフボールが取り除かれるのを許容する高さに、前記池または小川の上方に垂直に前記網が持ち上げられる上昇された位置との間で、前記縁部分から間隔が置かれる前記網の離れた部分を動かし、
前記方法が、
前記網の前記離れた部分を前記上昇された位置に動かすために前記持ち上げ機構を作動し、
蓄積するゴルフボールを縁部分に向かって除去し、そして
前記網の前記離れた部分を前記底面と実質上並置して前記沈められた位置に下降するために、前記持ち上げ手段を作動するステップを含んでいる方法。
【請求項１６】
さらに、前記離れた部分が前記上昇された位置にあるとき、前記網を圧力噴霧クリーニングする工程を含んでいる請求項１５に記載の方法。
【請求項１７】
さらに、前記離れた部分が前記上昇された位置にあるとき、前記網を振動させる工程を含んでいることを特徴とする請求項１５又は請求項１６に記載の方法。
【請求項１８】
実質上破片なしの状態にゴルフコースの池または小川の底面を維持するための装置であって、
耐食性金属、ステンレス鋼、ゴム、ナイロンおよびプラスチックからなる群から選ばれた耐食性材料から形成され、かつ前記底面の少なくとも一部に横たわる大きさの柔軟な網であって、それを通るゴルフボールの通過を実質上阻止しながら、それを通る水の実質上無制限の流れを許容する大きさの開口部を有することを特徴とする柔軟な網、
前記池または小川の縁部に隣接する前記網の縁部分を固定するための保持手段、
及び、前記網が前記底面と実質上並置している沈められた位置と、持ち上げられた離れた部分から網縁部分に向かう方向に網上に蓄積した破片が取り除かれるのを許容する高さに、前記池または小川から垂直に前記網の離れた部分が持ち上げられる上昇された位置との間で、前記縁部分から間隔が置かれた前記網の離れた部分を選択的に上昇するための持ち上げ手段を有し、
前記持ち上げ手段が噴水構体の一部を含み、そして前記離れた部分に固定される伸縮自在部材を含み、前記伸縮自在部材が、前記網が前記沈められた位置に動かされるときに折り畳まれる方向に、前記網が前記上昇された位置に動かされるときに伸張された方向に可動であり、
その際前記伸縮自在部材が前記折り畳まれる方向にあるとき、前記噴水構体が前記池または小川に噴水流を供給する装置。
【請求項１９】
前記網が前記底面の実質上すべての上に横たわり、かつ前記網の前記縁部分が実質上前記ウォーターハザードの縁部分全体に沿って固定される請求項１８に記載の装置。
【請求項２０】
前記保持手段がアンカ、スパイク、及び敷石からなる群から選択される請求項１８または請求項１９項に記載の装置。
【発明の詳細な説明】
【技術分野】
【０００１】
本発明は、破片のない井戸、池、小川または噴水のごとき水体を維持するための装置、かつとくにゴルフコースのウォーターハザードから落ち葉および不要な爬虫類および植物を除去するように作動し得る装置およびその使用方法に関する。
【背景技術】
【０００２】
ゴルフコースの池およびウォーターハザードのメンテナンスはグリーンキーパーにとって難しい課題である。それらの性質および目的によって、ゴルフコースのウォーターハザードは、ほとんどすべての最も熟練したゴルファーのゴルフボール罠に掛けるような場所にある。結果として、ゴルフコースの小川および池からのゴルフボールの再生および再販売において、大きな産業が発展した。加えて、ゴルフコースのウォーターハザードは、また、目障りな概観を作り、かつゴルフコースの全体的な好ましい審美性を損ねるかもしれない小枝、不要な植物および落ち葉が蓄積し易い。
【０００３】
気持ちの良いゴルフコースの環境を維持するための努力において、グリーンキーパーは、その中に蓄積するゴルフボール、落ち葉、小枝および不要な植物のごとき破片を除去するために池、小川および他のかかるウォーターハザードの底部を清掃する。池および小川の清掃は通常、ウォーターハザードに入るスキューバダイバーによって手で行なわれ、かつ池および小川の底から破片を手で集める。
【０００４】
ゴルフコースウォーターハザードを手で清掃すると、効率が悪くかつ時間がかかる。また、スキューバ設備の使用は、ダイバーが全身浸漬することが必要となり、水でバクテリヤが発生した場合に、感染または疾病を引き起こす可能性があり、設備が充分でない場合は死亡することもあり得る。スキューバ設備の使用に関連する固有の危険に加えて、合衆国南東の種々の区域において、ゴルフコースウォーターハザード中のアリゲーターの存在がさらにダイバーを危険に曝す。
【発明の開示】
【発明が解決しようとする課題】
【０００５】
本発明は、池、小川、噴水、願い井戸または他の水体の底面の少なくとも部分上の横たわるようにされた柔軟な網ライナであって、かつそこに蓄積したあらゆる破片の容易な収集および除去を許容するために、少なくとも部分的に水体から持ち上げられ得る柔軟な網ライナを設けることによって、従来技術の欠点の少なくとも幾つかを克服するようにしている。
【０００６】
本発明の他の目的は、使用者が自分自身を池または小川に物理的に沈める必要なしに、実質上落ち葉および／または不必要な植物のような破片がない状態に、池または小川の底面を維持するのに使用され得る装置を提供することにある。
【０００７】
本発明の他の目的は、ゴルフコースウォーターハザードから、ゴルフボール、落ち葉、および／または不必要な植物のような破片の除去を容易にするための装置を提供することにある。
【０００８】
本発明のさらに他の目的は、それを通る実質上無制限の水の運動を許容しながら、それを通るゴルフボールおよび落ち葉の運動を実質上阻止するように選択された網開口部の大きさを有する池または小川用の柔軟な網ライナを提供することにある。
【０００９】
本発明の他の目的は、ハザードの底面の少なくとも一部の上に横たわる大きさのゴルフコースウォーターハザード用装置、およびその上に集めたあらゆる破片、落ち葉またはゴルフボールの容易な除去を許容するような高さにウォーターハザードの上方に網の一部を持ち上げるようになされる持ち上げ機構を提供することにある。
【００１０】
本発明の他の目的は、不要な植物が中に根を下ろすのを実質上阻止するように、池、小川または他の水体中で成長する植物の生長を周期的に阻止するのに使用され得る装置を提供することにある。
【００１１】
本発明のさらに他の目的は、水体の底面から破片を持ち上げるのに使用され、網が、水体の底面と並置して実質上その上に横たわっている沈められた方向と、バンクの近くからのその上の破片の収集を容易にするために、網の少なくとも一部が水面の上方に持ち上げられる上昇された方向との間で動き得る装置を提供することにある。
【課題を解決するための手段】
【００１２】
本発明は、落ち葉、不要な植物生存および／またはゴルフボールのごとき、実質上破片なしに池、噴水、願掛け井戸、小川または他の水体の底面を維持するのに使用される装置を提供する。本装置は、水体の底の少なくとも一部の上に横たわる大きさの柔軟な網、および網の一部、好ましくは網のほとんどすべてを水から持ち上げるのに使用される持ち上げ機構を含んでいる。
【００１３】
網の周部縁部は、網通して地中に埋め込まれた金属棒、ワイヤロープ、網の縁部の上に置かれた重みの付いた敷石のようなアンカによって、または、網の縁部を所定位置に堅固に保持するように形作られた他のスパイクまたは他の固定具によって、水体のバンク縁部に隣接して固定される。持ち上げ機構は沈められた位置と水面の上方に上昇された位置との間で固定された縁部分から離れている網の部分に係合しかつそれを持ち上げるように位置決めされる。
【００１４】
多数の考え得る持ち上げ機構が本発明により使用され得る。１つの簡単化された実施の形態において、持ち上げ機構は、網に、またはポールまたは順次網に固定される他の取り付け構造に直接固定される結合部分に解放可能に係合するフックまたはクランプのごとき、キーパー部材を含んでいる。適宜な結合部材は、それゆえ、フック、リング、ループ、持ち上げ棒またはキーパー部材と結合するのに適する他の構造を含んでいる。結合部材は固定された縁部分から或る距離間隔が置かれた離れた位置において、最も好ましくは、水体の中心に向かって間隔が置かれた位置において網に固定される。キーパー部材は持ち上げブームまたはビームに取り付けられることができ、プーリおよびワイヤの作動により、または、持ち上げブームまたはビームの端部を昇降することにより、網の離れた部分を選択的に昇降するように垂直に可動である。持ち上げブームは永続的に取り付けられるか、または可動配置用の車両またはトレーラーに取り付けられ得る。
【００１５】
キーパー部材がいったん結合部材に接合されると、キーパー部材は上昇され、それにより結合部材およびこの結合部材に固定される網のライナの部分を持ち上げている。キーパー部材は、網の部分かつ好ましくはほとんどすべてが水体の表面の上方に持ち上げられるような高さに上昇される。より好ましくは、キーパー部材は実質上網のすべてが上方に上昇されかつ網の固定された縁部に向かって傾斜するように水面の上方に網を上昇するのに使用される。これは、好都合に、その固定された縁部に向かって動くような網上に集められたあらゆる破片を許容する。かかる位置に網を上昇することは、それによって、その上に集められた破片が、洗浄され、清掃され、振動され、または小川または池のバンクに立っている個人によって改修され得る、池または小川の縁部に向かって思うとおりに動くのを容易にする。
【００１６】
いったん蓄積された破片が網の表面から取り除かれると、キーパー部材および結合部材は下降され、網をその固有の重さにより沈められた位置に、かつ最も好ましくは、小川または池の底と並置して上に横たわっている位置に戻させる。可動の持ち上げ機構が設けられるならば、キーパー部材および結合部材は、その後、結合解除され、そして持ち上げ機構は使用のためにどこにでも位置決めされ得る。
【００１７】
持ち上げブームおよびキーパー部材が網を昇降するのに使用される１つの簡単化された持ち上げ機構を有するけれども、他の持ち上げ構造が同様に考えられる。考え得る持ち上げ機構は永続的に位置決めされたポールに取り付けられた持ち上げワイヤおよび伸縮自在の空気式および／または油圧式持ち上げシリンダの使用を含んでいる。かかる代替の実施の形態において、固定された周部縁部から離れた網の部分は油圧持ち上げシリンダの伸縮自在部分に結合され、そしてそれとともに垂直に可動である。折り畳まれた形状において、伸縮自在部分が池または小川の表面の下に好ましくは部分的にまたは全体的に沈められ、その結果実質上網のすべてが水体の底に直接横たわる。持ち上げシリンダの伸縮自在部分を伸張することによって、固定された縁部から離れている網の部分は上昇された位置に動かされ、伸縮自在のシリンダによって支持される。
【００１８】
より精緻な構造において、伸縮自在部材は、完全に伸張されるとき、固定された縁部に向けて蓄積されたあらゆる破片を動かすのを助けるために網に水噴霧を向け、かつ撤退されるとき、通常の水噴水として作動する、噴水構造の部分として組み合わされ得る。
【００１９】
したがって、第１の態様において、本発明は、実質上破片なしの状態に池または小川の底面を維持するための装置であって、
前記底面の少なくとも一部に横たわる大きさの柔軟な網、
前記池または小川の縁部に隣接する前記網の縁部分を固定するための保持手段、
前記網が前記底面と実質上並置している沈められた位置と、網の縁部分に向かう方向に上昇された離れた部分から離して動かされるよう網上に蓄積した破片を許容するような高さに、前記網の前記離れた部分が前記池または小川から垂直に持ち上げられる上昇された位置とから、前記縁部から間隔が置かれる前記網の離れた部分を選択的に持ち上げるための持ち上げ手段を含んでいる装置に属する。
【００２０】
他の態様において、本発明は、実質上破片なしの状態にゴルフコースウォーターハザードの底面を維持するためのゴルフコースウォーターハザードライナであって、
前記底面の少なくとも一部に横たわる大きさの柔軟な網であって、それを通るゴルフボールの通過を実質上阻止しながら、それを通る水の実質上無制限の流れを許容する大きさの開口部を有することを特徴とし、前記ウォーターハザードの縁部に隣接して永続的に固定される周部縁部分を有する柔軟な網、
前記網が前記底面と実質上並置している沈められた位置と、水から網の実質上すべてを持ち上げるのに十分に前記縁部分に対して垂直に前記離れた部分が持ち上げられる上昇された位置との間で、前記縁部から間隔が置かれる前記網の離れた部分を選択的に動かすための手段、
を含んでいるライナに属する。
【００２１】
さらに他の態様において、本発明は、ライナの使用によってゴルフボール、雑草または落ち葉のないゴルフコースウォーターハザードの底面を維持するための方法であって
ライナは、
底面の少なくとも一部に横たわる大きさの柔軟な網、
前記ウォーターハザードの縁部に隣接して固定されている前記網の縁部分、
及び、前記網が前記底面と実質上並置している沈められた位置と、
上昇された離れた部分から網の縁部分に向かって網上に蓄積した破片が取り除かれるのを許容するような高さに、前記縁部分に対して垂直に前記離れた部分が持ち上げられる上昇された位置との間で、前記縁部から間隔が置かれる前記網の離れた部分を選択的に動かすための持ち上げ手段を有し、
前記方法は、
前記網の前記離れた部分を前記上昇された位置に動かすために前記持ち上げ機構を作動し、
蓄積するゴルフボールを縁部分に向かって除去し、そして
前記網の前記離れた部分を前記底面と実質上並置して前記沈められた位置に下降するために前記持ち上げ手段を作動する工程を含んでいる方法に属する。
【発明を実施するための最良の形態】
【００２２】
本発明がより容易に理解され得るために、本発明の好適な実施の形態およびその変形例が添付図面を参照して例として説明される。
【００２３】
実質上ゴルフボール、落ち葉、小枝、葉っぱおよび他の破片１４のないゴルフコースの池１２または他のゴルフコースのウォーターハザードを維持するのに使用される装置１０を示す図２が参照される。図２は、図１に示されるような池１２の底面２０全体の上に実質上横たわる大きさの柔軟な網ライナ１６、および池１２内の網ライナ１６を昇降するのに使用される持ち上げ構体１８を含んでいる装置１０を最良に示している。
【００２４】
網ライナ１６は一連の間隔が置かれたＶまたはＵ−形状の鋼製アンカ２６によってその周部縁部２２全体に沿って固定される。Ｕ−形状のアンカ２６の先端は網開口部３０（図４）を通して挿入されそして池１２のバンク２４に沿って地中に打ち込まれ、網ライナ１６の周部縁部２２を永続的に固定しかつその横方向の移動を阻止する。
【００２５】
好ましくは、網ライナ１６は底面２０と同一の全体形状を有して形成され、その結果その周部縁部２２はほとんど、他の方法ではゴルフコースのプレイへの妨害を有するかもしれない、池のバンク２４上の縁部にのみ延びている。網ライナ１６は、ライナ１６が延長された使用周期にわたって引っ張りの状態および柔軟性の両方を維持することを保証するように選択された耐食性材料から形成される。網ライナ１６の製造に使用される適宜な材料は、それゆえ、被覆されたワイヤが同様に使用され得るけれども、耐食性金属および合金、ステンレス鋼、補強されたまたは補強されないナイロン、ゴムおよびプラスチックを含んでいる。
【００２６】
図４は網ライナ１６が一連の略正方形の開口部３０を備えている好適な網形状を示している。各開口部３０は、ゴルフボール、落ち葉、小枝等の通過を阻止しながら、網ライナ１６を通る実質上抑制されない水の流れを許容するのに十分に大きく選択される細長い寸法Ｄを有している。好ましくは、網開口部３０はほぼ１／２ないし１インチの間に選択された細長い寸法Ｄを有している。
【００２７】
図１ないし図３は結合ロッド３２をさらに含んでいる装置１０を示している。後述されるように、結合ロッド３２は図１に示された池底２０と並置された位置からかつそれへ網ライナ１６の中央部分（図２）を昇降するための持ち上げ構体１８への網ライナ１６の結合に使用される。結合ロッド３２は池１２の中心に向かって間隔が置かれかつ係留された周部縁部２２から離れている位置において網ライナ１６に固定される。図３に最良に示されるように、結合ロッド３２は直径がほぼ６ないし１８インチでありかつ池の底２０上に載置するための略平らな下方面３８を有する支持プレート３６を含んでいる。鋼製の筒状ポスト４０が支持プレート３６に垂直に取り付けられる。ポスト４０は支持プレート３６から網ライナ１６を通って最上方の鋼リング４２に延びている。垂直ポスト４０は、支持プレート３６が池１２の底２０に載置するとき、リング４２池の表面４３の上方の周部で所定位置に配置するように選択された好適な長さを有している。円板形状の締め付けプレート４４は支持プレート３６と締め付けプレート４４との間に網ライナ１６の部分を挟んで、ポスト４０上に位置決めされる。締め付けプレート４４はプレート３６，４４に形成された一直線に整列された孔を通してネジ付き固定具４６を挿入することによって支持プレート３６に固定される。理解されることは、支持プレート３６と締め付けプレート４４との間の網ライナ１６の締め付け部分が、ライナ１６が昇降される点で網ライナ１６上に負荷力の良好な分布を達成するということである。
【００２８】
図２は、トラック５０の平らな床上で可動使用のために取り付けられた油圧的に可動の持ち上げブーム４８、およびフック５２を含んでいる本装置１０において使用のための持ち上げ構体１８を示している。フック５２は持ち上げブーム４８の可動自由端５４に枢動可能に結合され、それによって自由端５４の昇降はフック５２を垂直に昇降する。ブーム４８は、そのさいフック５２が持ち上げロッド３２のリング４２に係合するように池の表面４３の直ぐ上に位置決めされる位置、および図２に示した上昇された位置に自由端５４を動かすように作動し得る。
【００２９】
図１および図２はいけ１２の底面２０からゴルフボール、落ち葉、小枝および他の破片１４を取り除くのに使用する装置１２の作動を示している。
【００３０】
破片１４が池１２内に蓄積するとき、それは網ライナ１６の上面上に堆積する。池１２から破片１４を除去するために、持ち上げブーム４８はフック５２がリング４２の上方に垂直に位置するように位置決めされる。持ち上げブーム４８はその場合にその自由端５４およびフック５２が池１２の表面４３およびリング４２に下方に向かって動くように動かされる。フック５２は次いで持ち上げ構体１８および結合ロッド３２を結合するリング４２と係合させられる。いったんフック５２がリング４２に結合されると、ブーム４８の自由端５４は上方に向かって動かされ、底面２０からロッド３２および網ライナ１６の部分３４を持ち上げる。
【００３１】
持ち上げブーム４８の端部分５４を上昇することによって、結合ロッド３２、かつそれによってそれに取着される網１６の中央部分３４は池表面４３の上方で図２に示した位置に上昇されることができる。好ましくは、ロッド３２はほとんど網ライナ１６全体が池表面４３の上方に持ち上げられるように持ち上げられる。より好ましくは、結合ロッド３２において網１６の中央部分３４は、上昇された位置において、網ライナ１６が中央部分３４から固定された周部縁部２２へ傾斜するように十分な範囲に固定された周部縁部２２の上に上昇させられる。この位置において、網１６上に蓄積したあらゆる破片１４が重力により動くか、または高圧水噴霧によって容易に吹き飛ばされ、洗浄されるかまたは縁部分２２に清掃される。代替的に、持ち上げ構体１８は上昇された網１６を振動しかつ縁部２２および池のバンク２４に向かう破片１４の運動を助けるようにフック５２に振動運動を付与するバイブレータ（図示せず）を備えることができる。
【００３２】
理解されることは、図２に示した上昇された位置と図１に示した沈められた位置との間で網１６を動かすとき、網開口部３０は水を通って実質上妨害されずに網１６を通過させるということである。開口部３０の寸法付けは、さらに、他の方法では池１２に残るかもしれないライナ１６が上昇されるとき開口部３０を通って動くことから網ライナ１６上に集めた破片１４を阻止する。いったん破片１４が上昇された中央部分３４から係留された周部縁部２２へ動くと、ダイバーの使用または池への出現を必要とすることなしに、池のバンク２４からグラウンドキーパーによって集められかつ除去されることができる。
【００３３】
破片１４が網１６から集められかつ除去された後、ブーム４８の自由端５４は下降され、池の底２０上に結合ロッド３２の支持プレート３６を垂直に再び位置決めするようにフック５２を下降する。結合ロッド３２が下降されると、網１６の重さは、実質上池の底２０と上に横たわっている並置において、それをその固有の重量により図１に示した沈められた位置に戻させる。
【００３４】
考えられることは、失われたゴルフボールの回収および池１２の清掃を容易にすることに加えて、網ライナ１６の周期的な昇降が池の底２０上の堆積を好都合に引き離すということである。この周期的な引き離しは、順次、大きな爬虫類による池１２の生息ならびに植物が根を下ろすのを止めさせ、結局は、池１２内の不必要な植物の生長を減じる。
【００３５】
理解されることは、リング４２が池の表面４３の上方に載置するように選択された長さを有する垂直ポスト４０を設けることは、リング４２と持ち上げ構体フック５２の接続を容易にするということである。しかしながら、本発明は、そのように制限されない。所望ならば、ポスト４０は、支持プレート３６が池の底２０に載置するとき、リング４２が完全にまたは部分的に沈められるように選択された長さを有する。同様に、リング構造の使用が持ち上げブームへの結合を容易にする一方、コネクタの他の形状はまた可能でありそして今や明らかとなり、フック等の使用を含んでいる。より審美的に気持ちのよい外観を作るように、示されないけれども、リング４２は、さらに、装飾を備えるか、または水の彫像または他の装飾的特徴の部分として組み込まれることができる。
【００３６】
図１および図２は網１２の中央部分３４を昇降するための機構として、結合ロッド３２、持ち上げブーム４８およびフック５２の使用を開示する一方、本発明はそのように限定されない。図５および図６は同様な参照番号が同様な構成要素を識別するのに使用される、本発明の代替の実施の形態を示している。
【００３７】
図５および図６において、持ち上げ（リフト）構体１８は油圧的に作動し得る（または代替的に空気式でまたは機械式で作動し得る）伸縮自在のリフト５８および遠隔制御ユニット６１からなっている。リフト５８は３つの伸縮自在部分６０ａ，６０ｂ，６０ｃを含みそして沈められたケーブル６３によって部分６０の運動を制御する遠隔制御ユニット６１によって作動される。伸縮自在部分６０ａ，６０ｂ，６０ｃは池１２中の網ライナ１６を昇降するのに使用のために池１２の中心に向かって位置決めされる。必須ではないけれども、網１６の中央部分３４は、好ましくは、例えば、昇降されるように網１６上の引っ張り応力を良好に分布するために同等の挟み込み支持体および締め付けプレート３６，４４を含むことができる少なくとも伸縮自在の部分６０ｃに結合される。
【００３８】
図５は完全に撤退された位置において伸縮自在部分６０を有する持ち上げ構体１８を示し、そしてそのさい網ライナ１６は池１２の表面の下の沈められた位置にある。
【００３９】
図６に示された伸張された位置において、伸縮自在部分６０ｂ，６０ｃは部分６０ａに対して上昇される。部分６０ｂ，６０ｃが伸張されるとき、部分６０ｃはそれにより網ライナ１６の中央部分３４を支持する。図１および図２に示した実施の形態によるように、網ライナ１６の中央部分３４は池の表面４３の上方に上昇される、その結果、実質上網１６のすべてが係留された周部縁部２２の上方に動かされ、そして網１６上に集められた破片１４が池のバンク２４に向かって動く。図１および図２に示した実施の形態によるように、いったん網１６が完全に上昇された位置に動かされると、ブラシ、ブロワおよび／または高圧ホースは固定された周部縁部２２に向かって集められた破片１４を動かすのを助けるように使用され得る。
【００４０】
網ライナ１６を完全に沈められた位置に戻すために、コントローラ６１は伸縮自在部分６０ａ，６０ｂ，６０ｃを撤退するのに使用され、そして網ライナ１６は池の底２０上にその固有の重量により降りるように許容される。
【００４１】
図１ないし図６を参照して説明された本発明の実施の形態は網１６を上昇するのに使用される単一の結合ロッド３２または伸縮自在リフト５８を含んでいるように本発明を示しているけれども、本発明はそのように限定されない。図７は、そのさい同様な参照番号が同様な構成要素を識別するのに使用される本発明の代替の実施の形態を示している。
【００４２】
図７はより大きな、かつより不規則な形状の池１２上の装置１０の使用を示しており、そのさい多数の伸縮自在リフト５８ａ，５８ｂが網ライナ１６を昇降するのに使用される。伸縮自在リフト５８ａ，５８ｂは図５および図６を参照して説明されたリフトと本質的に同一でありそして網ライナ１６の係留された周部縁部２２から池の中心に向かって間隔が置かれる。各持ち上げ（リフト）構体５８ａ，５８ｂの伸縮自在部分は、池の底２０から蓄積された破片１４を除去するために池の表面の上方に網１６の部分または実質上すべてを持ち上げるように連続してまたは同時に伸張され得る。
【００４３】
図８および図９に示されるより精緻な構造において、伸縮自在なリフト５８はそれにより噴水構体７０を支持している。かかる実施の形態において、リフト５８は伸縮自在部分６０ｂ，６０ｃが図８に示されるように撤退されるとき通常の池の噴水として作動する通常の噴水ヘッド７２を含んでいる。部分６０ｂ，６０ｃが伸張されるとき、図９に示されるように、弁（図示せず）は噴水の水噴霧を第２の水出口７４に転じるように作動する。出口７４は部分６０ｃの上方端のまわりに半径方向に位置決めされる。出口７４は周部縁部２２に網ライナ１６上の破片１４を動かすのを助けるように網ライナ１６の上面上に水噴霧を向ける。
【００４４】
本発明の好適な実施の形態は網ライナ１６の縁部２２を所定位置に固定するのに使用されるようなＶまたはＵ−形状のアンカ２６の使用を開示しているけれども、本発明はそのように限定されない。多数の他の係留構造がまた可能でありかつ今や明らかとなる。非限定の例として、網ライナ１６の周部縁部２２を固定するのに使用される適宜なアンカは敷石、スパイク等を含んでいる。
【００４５】
本発明の好適な実施の形態は支持プレート３６と締め付けプレート４４との間に挟みこんだ形状において網１６の部分の結合を開示しているけれども、他の網支持構造もまた使用され得る。非限定の例として、支持ワイヤが持ち上げ構体１８によって直接昇降される網ライナ１６の中央部分３４に周部縁部２２から延びている網１６の下に位置決めされる。網ライナ１６を持ち上げることにおいて、支持ワイヤは網ライナ１６に跨るように作動しかつそれがその固有の重量（自重）により破れる可能性を減少する。
【００４６】
図１はフック５２を昇降するような枢動持ち上げブーム４８を示しているけれども、本発明はそのように限定されない。所望ならば、持ち上げブーム４８は堅固に取り付けられることができ、かつフック５２は一連のワイヤおよびブーム４８に結合された一連のワイヤおよびプーリによって昇降され得る。
【００４７】
図１ないし図９はゴルフコースの池１２上での装置の使用を説明している。理解されることは、しかしながら、落ち葉等の蓄積が課題を有するプール、水噴水、願掛け井戸、小川および他の水体における使用に等しく適する。
【００４８】
図１０および図１１は図５に示した持ち上げ構体と同様な持ち上げ構体を示し、そしてそのさい同様な参照番号が同様な構成要素を識別するのに使用される。図１０および図１１において、持ち上げ構体１８は、池１２の中央部分に向かって間隔が置かれた、２つの空気式伸縮自在のリフト５８ａ，５８ｂによって作動される。リフト５８ａ，５８ｂはこれらのリフト５８ａ，５８ｂを伸張しかつ網を上昇するのに必要な空気圧を、空気ホース８４，８６を介して供給する携帯可能なまたは可動の空気圧ユニット８０によって作動可能である。所望ならば、沈められた空気ホース８４は空気ホース８６を結合するのに使用される迅速な接続カプラ８８により固定ラインとして設けられ得る。
【００４９】
ＶまたはＵ−形状のアンカ２６の使用が周部縁部２２の簡単化された固定を許容する一方、本発明はそのように限定されない。所望ならば、ライナ１６の縁部は縁部２２上に重しの敷石を配置することによって、または代替的に、ロープおよび／またはワイヤの使用によって保持されることができる。
【００５０】
開示は本発明の好適な実施の形態を説示しているけれども、本発明はそのように限定されない。多くの変化および変更が今や従来技術に熟練した者に生じる。本発明の定義に関しては、添付の特許請求の範囲が参照される。
【図面の簡単な説明】
【００５１】
【図１】第１の実施の形態による破片のないゴルフコースの池を維持しかつそのさい網池ライナが完全に沈められた位置において示される装置を示す部分側面図である。
【図２】実質上池の表面の上方に位置決めされる完全に上昇された位置において網ライナを備える図１に示した装置の部分側面図である。
【図３】図１に示した装置に使用される結合ロッドを示す拡大斜視側面図である。
【図４】図１に示した装置に使用される網ライナを示す拡大部分斜視図である。
【図５】完全に沈められた位置に動かされた網ライナを備えた、本発明の第２の実施の形態による破片のないゴルフコースの池の底を維持するための装置を示す部分側面図である。
【図６】池の表面の上方に吊り下げられた完全に上昇された位置に動かされた網ライナを有する図５の装置を示す図である。
【図７】破片のないゴルフコースの池の底を維持しかつ本発明の第３の実施の形態による装置を示す図である。
【図８】撤退された位置において図５の装置において使用のための変更された持ち上げ機構を示す拡大側面図である。
【図９】完全に上昇された位置において図８の持ち上げ装置を示す側面図である。
【図１０】本発明の他の実施の形態による図５の装置の側面図である。
【図１１】図１０の装置の頂面図である。
【符号の説明】
【００５２】
池    １２
破片    １４
網ライナ    １６
持ち上げ構体    １８
底面    ２０
網ライナの周部縁部    ２２
バンク    ２４
アンカ    ２６
開口部    ３０
【国際公開パンフレット】
2004526478.tif 000003
2004526478.tif 000004
2004526478.tif 000005
2004526478.tif 000006
2004526478.tif 000007
2004526478.tif 000008
2004526478.tif 000009
2004526478.tif 000010
2004526478.tif 000011
2004526478.tif 000012
2004526478.tif 000013
2004526478.tif 000014
2004526478.tif 000015
2004526478.tif 000016
2004526478.tif 000017
2004526478.tif 000018
2004526478.tif 000019
2004526478.tif 000020
2004526478.tif 000021
2004526478.tif 000022
2004526478.tif 000023
2004526478.tif 000024
2004526478.tif 000025
2004526478.tif 000026
【国際調査報告】
2004526478.tif 000027
2004526478.tif 000028
2004526478.tif 000029